(57)【要約】【課題】変倍時の収差変動を良好に抑えた変倍光学系、光学装置、変倍光学系の製造方法を提供する。【解決手段】カメラ１等の光学装置に用いられる変倍光学系ＺＬは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、を有し、変倍に際し、第２レンズ群Ｇ２及び第４レンズ群Ｇ４が像面に対して固定されている。【選択図】図１
2014145805.tif 000002
【特許請求の範囲】
【請求項１】
物体側から順に、
正の屈折力を有する第１レンズ群と、
負の屈折力を有する第２レンズ群と、
正の屈折力を有する第３レンズ群と、
負の屈折力を有する第４レンズ群と、
正の屈折力を有する第５レンズ群と、を有し、
変倍に際し、前記第２レンズ群及び前記第４レンズ群が像面に対して固定され、
次式の条件を満足することを特徴とする変倍光学系。
１．０５  ＜  ｆ１／（−ｆ２）  ＜  ６．１０
０．３２  ＜  （−ｆ４）／ｆ５  ＜  １．９３
但し、
ｆ１：前記第１レンズ群の焦点距離
ｆ２：前記第２レンズ群の焦点距離
ｆ４：前記第４レンズ群の焦点距離
ｆ５：前記第５レンズ群の焦点距離
【請求項２】
次式の条件を満足することを特徴とする請求項１に記載の変倍光学系。
０．７４  ＜  ｆ１／（−ｆ４）  ＜  ２．８２
但し、
ｆ１：前記第１レンズ群の焦点距離
ｆ４：前記第４レンズ群の焦点距離
【請求項３】
前記第２レンズ群よりも像側に開口絞りを有することを特徴とする請求項１または２に記載の変倍光学系。
【請求項４】
前記開口絞りは、前記第３レンズ群から前記第５レンズ群の間に配置されていることを特徴とする請求項３に記載の変倍光学系。
【請求項５】
前記開口絞りは、前記第３レンズ群と前記第４レンズ群との間に配置されていることを特徴とする請求項４に記載の変倍光学系。
【請求項６】
合焦に際し、前記第３レンズ群の少なくとも一部を光軸に沿って移動させることを特徴とする請求項１〜５のいずれか一項に記載の変倍光学系。
【請求項７】
前記第２レンズ群から前記第５レンズ群の少なくとも一部を光軸と直交方向の成分を含むように移動させることを特徴とする請求項１〜６のいずれか一項に記載の変倍光学系。
【請求項８】
前記第２レンズ群の少なくとも一部を光軸と直交方向の成分を含むように移動させることを特徴とする請求項７に記載の変倍光学系。
【請求項９】
全てのレンズ面が球面で構成されていることを特徴とする請求項１〜８のいずれか一項に記載の変倍光学系。
【請求項１０】
物体の像を所定の像面上に結像させる請求項１〜９のいずれか一項に記載の変倍光学系を有することを特徴とする光学装置。
【請求項１１】
物体側から順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、を有する変倍光学系の製造方法であって、
変倍に際し、前記第２レンズ群及び前記第４レンズ群が像面に対して固定されるように配置し、
次式の条件を満足するように配置することを特徴とする変倍光学系。
１．０５  ＜  ｆ１／（−ｆ２）  ＜  ６．１０
０．３２  ＜  （−ｆ４）／ｆ５  ＜  １．９３
但し、
ｆ１：前記第１レンズ群の焦点距離
ｆ２：前記第２レンズ群の焦点距離
ｆ４：前記第４レンズ群の焦点距離
ｆ５：前記第５レンズ群の焦点距離
【発明の詳細な説明】
【技術分野】
【０００１】
本発明は、変倍光学系、光学装置、及び、変倍光学系の製造方法に関する。
【背景技術】
【０００２】
従来、写真用カメラ、電子スチルカメラ、ビデオカメラ等に適した変倍光学系が提案されている（例えば、特許文献１参照）。
【先行技術文献】
【特許文献】
【０００３】
【特許文献１】特開２００９−１８０８４４号公報
【発明の概要】
【発明が解決しようとする課題】
【０００４】
しかしながら従来の変倍光学系は、変倍時の収差変動が大きいという課題があった。
【０００５】
本発明はこのような課題に鑑みてなされたものであり、変倍時の収差変動を良好に抑えた変倍光学系、光学装置、変倍光学系の製造方法を提供することを目的とする。
【課題を解決するための手段】
【０００６】
前記課題を解決するために、本発明に係る変倍光学系は、物体側から順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、を有し、変倍に際し、第２レンズ群及び第４レンズ群が像面に対して固定され、次式の条件を満足することを特徴とする。
１．０５  ＜  ｆ１／（−ｆ２）  ＜  ６．１０
０．３２  ＜  （−ｆ４）／ｆ５  ＜  １．９３
但し、
ｆ１：第１レンズ群の焦点距離
ｆ２：第２レンズ群の焦点距離
ｆ４：第４レンズ群の焦点距離
ｆ５：第５レンズ群の焦点距離
【０００７】
また、このような変倍光学系は、次式の条件を満足することが好ましい。
０．７４  ＜  ｆ１／（−ｆ４）  ＜  ２．８２
但し、
ｆ１：第１レンズ群の焦点距離
ｆ４：第４レンズ群の焦点距離
【０００８】
また、このような変倍光学系は、第２レンズ群よりも像側に開口絞りを有することが好ましい。
【０００９】
また、このような変倍光学系において、開口絞りは、第３レンズ群から第５レンズ群の間に配置されていることが好ましい。
【００１０】
また、このような変倍光学系において、開口絞りは、第３レンズ群と第４レンズ群との間に配置されていることが好ましい。
【００１１】
また、このような変倍光学系は、合焦に際し、第３レンズ群の少なくとも一部を光軸に沿って移動させることが好ましい。
【００１２】
また、このような変倍光学系は、第２レンズ群から第５レンズ群の少なくとも一部を光軸と直交方向の成分を含むように移動させることが好ましい。
【００１３】
また、このような変倍光学系は、第２レンズ群の少なくとも一部を光軸と直交方向の成分を含むように移動させることが好ましい。
【００１４】
また、このような変倍光学系は、全てのレンズ面が球面で構成されていることが好ましい。
【００１５】
また、本発明に係る光学装置は、物体の像を所定の像面上に結像させる上述の変倍光学系のいずれかを有することを特徴とする。
【００１６】
また、本発明に係る変倍光学系の製造方法は、物体側から順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、を有する変倍光学系の製造方法であって、変倍に際し、第２レンズ群及び第４レンズ群が像面に対して固定されるように配置し、次式の条件を満足するように配置することを特徴とする。
１．０５  ＜  ｆ１／（−ｆ２）  ＜  ６．１０
０．３２  ＜  （−ｆ４）／ｆ５  ＜  １．９３
但し、
ｆ１：第１レンズ群の焦点距離
ｆ２：第２レンズ群の焦点距離
ｆ４：第４レンズ群の焦点距離
ｆ５：第５レンズ群の焦点距離
【発明の効果】
【００１７】
本発明によれば、変倍時の収差変動を良好に抑えた変倍光学系、光学装置、変倍光学系の製造方法を提供することができる。
【図面の簡単な説明】
【００１８】
【図１】第１実施例に係る変倍光学系のレンズ構成を示す断面図である。
【図２】第１実施例に係る変倍光学系の広角端状態における諸収差図であって、（ａ）は無限遠合焦状態の諸収差図であり、（ｂ）は無限遠合焦状態において像ぶれ補正を行ったときのコマ収差図である。
【図３】第１実施例に係る変倍光学系の中間焦点距離状態における諸収差図であって、（ａ）は無限遠合焦状態の諸収差図であり、（ｂ）は無限遠合焦状態において像ぶれ補正を行ったときのコマ収差図である。
【図４】第１実施例に係る変倍光学系の望遠端状態における諸収差図であって、（ａ）は無限遠合焦状態の諸収差図であり、（ｂ）は無限遠合焦状態において像ぶれ補正を行ったときのコマ収差図である。
【図５】第２実施例に係る変倍光学系のレンズ構成を示す断面図である。
【図６】第２実施例に係る変倍光学系の広角端状態における諸収差図であって、（ａ）は無限遠合焦状態の諸収差図であり、（ｂ）は無限遠合焦状態において像ぶれ補正を行ったときのコマ収差図である。
【図７】第２実施例に係る変倍光学系の中間焦点距離状態における諸収差図であって、（ａ）は無限遠合焦状態の諸収差図であり、（ｂ）は無限遠合焦状態において像ぶれ補正を行ったときのコマ収差図である。
【図８】第２実施例に係る変倍光学系の望遠端状態における諸収差図であって、（ａ）は無限遠合焦状態の諸収差図であり、（ｂ）は無限遠合焦状態において像ぶれ補正を行ったときのコマ収差図である。
【図９】第３実施例に係る変倍光学系のレンズ構成を示す断面図である。
【図１０】第３実施例に係る変倍光学系の広角端状態における諸収差図であって、（ａ）は無限遠合焦状態の諸収差図であり、（ｂ）は無限遠合焦状態において像ぶれ補正を行ったときのコマ収差図である。
【図１１】第３実施例に係る変倍光学系の中間焦点距離状態における諸収差図であって、（ａ）は無限遠合焦状態の諸収差図であり、（ｂ）は無限遠合焦状態において像ぶれ補正を行ったときのコマ収差図である。
【図１２】第３実施例に係る変倍光学系の望遠端状態における諸収差図であって、（ａ）は無限遠合焦状態の諸収差図であり、（ｂ）は無限遠合焦状態において像ぶれ補正を行ったときのコマ収差図である。
【図１３】第４実施例に係る変倍光学系のレンズ構成を示す断面図である。
【図１４】第４実施例に係る変倍光学系の広角端状態における諸収差図であって、（ａ）は無限遠合焦状態の諸収差図であり、（ｂ）は無限遠合焦状態において像ぶれ補正を行ったときのコマ収差図である。
【図１５】第４実施例に係る変倍光学系の中間焦点距離状態における諸収差図であって、（ａ）は無限遠合焦状態の諸収差図であり、（ｂ）は無限遠合焦状態において像ぶれ補正を行ったときのコマ収差図である。
【図１６】第４実施例に係る変倍光学系の望遠端状態における諸収差図であって、（ａ）は無限遠合焦状態の諸収差図であり、（ｂ）は無限遠合焦状態において像ぶれ補正を行ったときのコマ収差図である。
【図１７】上記変倍光学系を搭載するカメラの断面図を示す。
【図１８】上記変倍光学系の製造方法を説明するためのフローチャートである。
【発明を実施するための形態】
【００１９】
以下、本発明の好ましい実施形態について図面を参照して説明する。図１に示すように、本実施形態に係る変倍光学系ＺＬは、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、を有して構成されている。また、この変倍光学系ＺＬは、変倍に際し、第２レンズ群Ｇ２及び第４レンズ群Ｇ４が像面に対して固定されていることが望ましい。この構成により、変倍における鏡筒構成を簡素化でき、鏡筒の小型化を図ることができる。また、製造誤差による光学性能の劣化を抑えることができる。
【００２０】
それでは、このような変倍光学系ＺＬを構成するための条件について説明する。まず、この変倍光学系ＺＬは、以下に示す条件式（１）を満足することが望ましい。
【００２１】
１．０５  ＜  ｆ１／（−ｆ２）  ＜  ６．１０      （１）
但し、
ｆ１：第１レンズ群Ｇ１の焦点距離
ｆ２：第２レンズ群Ｇ２の焦点距離
【００２２】
条件式（１）は第２レンズ群Ｇ２の焦点距離に対する、適正な第１レンズ群Ｇ１の焦点距離を規定するものである。条件式（１）を満足することにより、望遠端における球面収差と色収差を良好に補正することができる。この条件式（１）の下限値を下回ると、第１レンズ群Ｇ１の屈折力が大きくなり、望遠端状態における球面収差と色収差の補正が困難となるため好ましくない。なお、条件式（１）の下限値を２．２５とすると、本願の効果を確実なものとすることができる。反対に、条件式（１）の上限値を上回ると、第１レンズ群Ｇ１の屈折力が小さくなり、全長の増大を招いてしまうため好ましくない。なお、条件式（１）の上限値を５．８７とすると、本願の効果を確実なものとすることができる。
【００２３】
また、この変倍光学系ＺＬは、以下に示す条件式（２）を満足することが望ましい。
【００２４】
０．３２  ＜  （−ｆ４）／ｆ５  ＜  １．９３      （２）
但し、
ｆ４：第４レンズ群Ｇ４の焦点距離
ｆ５：第５レンズ群Ｇ５の焦点距離
【００２５】
条件式（２）は第５レンズ群Ｇ５の焦点距離に対する、適正な第４レンズ群Ｇ４の焦点距離を規定するものである。条件式（２）を満足することにより、広角端状態における像面湾曲と歪曲収差を良好に補正することができる。この条件式（２）の下限値を下回ると、第４レンズ群Ｇ４の屈折力が大きくなり、望遠端における色収差の補正が困難となるため好ましくない。なお、条件式（２）の下限値を０．４４とすると、本願の効果を確実なものとすることができる。反対に、条件式（２）の上限値を上回ると、第５レンズ群Ｇ５の屈折力が大きくなり、広角端状態における像面湾曲と歪曲収差の補正が困難となるため好ましくない。なお、条件式（２）の上限値を１．６３とすると、本願の効果を確実なものとすることができる。
【００２６】
また、この変倍光学系ＺＬは、以下に示す条件式（３）を満足することが望ましい。
【００２７】
０．７４  ＜  ｆ１／（−ｆ４）  ＜  ２．８２      （３）
但し、
ｆ１：第１レンズ群Ｇ１の焦点距離
ｆ４：第４レンズ群Ｇ４の焦点距離
【００２８】
条件式（３）は第４レンズ群Ｇ４の焦点距離に対する、適正な第１レンズ群Ｇ１の焦点距離を規定するものである。条件式（３）を満足することにより、望遠端状態における球面収差と色収差を良好に補正することができる。この条件式（３）の下限値を下回ると、第１レンズ群Ｇ１の屈折力が大きくなり、望遠端状態における球面収差と色収差の補正が困難となるため好ましくない。なお、条件式（３）の下限値を０．７９とすると、本願の効果を確実なものとすることができる。反対に、条件式（３）の上限値を上回ると、第１レンズ群Ｇ１の屈折力が小さくなり、全長の増大を招いてしまうため好ましくない。なお、条件式（３）の上限値を２．７１とすると、本願の効果を確実なものとすることができる。
【００２９】
また、この変倍光学系ＺＬは、第２レンズ群Ｇ２よりも像側に開口絞りＳを有することが望ましい。このとき、第３レンズ群Ｇ３と第５レンズ群Ｇ５との間に開口絞りＳを有することが望ましい。さらには、第３レンズ群Ｇ３と第４レンズ群Ｇ４との間に開口絞りＳを有することが望ましい。この構成により、コマ収差と像面湾曲を良好に補正することができる。
【００３０】
また、この変倍光学系ＺＬは、合焦に際し、第３レンズ群Ｇ３の少なくとも一部を光軸に沿って移動させることが望ましい。この構成により、迅速な合焦を行うことができ、また合焦時の画角変動と球面収差の変動を小さくすることができる。
【００３１】
また、この変倍光学系ＺＬは、第２レンズ群Ｇ２から第５レンズ群Ｇ５の少なくとも一部（複数のレンズ群、若しくは、いずれか一つのレンズ群であっても良いし、いずれかのレンズ群を構成するレンズの一部であっても良い）を光軸と直交方向の成分を含むように移動させることが望ましい。このとき、第２レンズ群Ｇ２の少なくとも一部を光軸と直交方向の成分を含むように移動させることがさらに望ましい。この構成により、径の小さいレンズで手ぶれ補正を行うことができるため、鏡筒の小型化を図ることができる。
【００３２】
また、この変倍光学系ＺＬは、全てのレンズ面が球面で構成されていることが好ましい。この構成により、レンズ加工及び組立調整が容易になり、加工及び組立調整の誤差による光学性能の劣化を妨げるので好ましい。また、像面がずれた場合でも描写性能の劣化が少ないので好ましい。
【００３３】
次に、本実施形態に係る変倍光学系ＺＬを備えた光学装置であるカメラを図１７に基づいて説明する。このカメラ１は、撮影レンズ２として本実施形態に係る変倍光学系ＺＬを備えたレンズ交換式の所謂ミラーレスカメラである。本カメラ１において、不図示の物体（被写体）からの光は、撮影レンズ２で集光されて、不図示のＯＬＰＦ（Optical low pass filter：光学ローパスフィルタ）を介して撮像部３の撮像面上に被写体像を形成する。そして、撮像部３に設けられた光電変換素子により被写体像が光電変換されて被写体の画像が生成される。この画像は、カメラ１に設けられたＥＶＦ（Electronic view finder：電子ビューファインダ）４に表示される。これにより撮影者は、ＥＶＦ４を介して被写体を観察することができる。
【００３４】
また、撮影者によって不図示のレリーズボタンが押されると、撮像部３により光電変換された画像が不図示のメモリに記憶される。このようにして、撮影者は本カメラ１による被写体の撮影を行うことができる。なお、本実施形態では、ミラーレスカメラの例を説明したが、カメラ本体にクイックリターンミラーを有しファインダー光学系により被写体を観察する一眼レフタイプのカメラに本実施形態に係る変倍光学系ＺＬを搭載した場合でも、上記カメラ１と同様の効果を奏することができる。
【００３５】
なお、以下に記載の内容は、光学性能を損なわない範囲で適宜採用可能である。
【００３６】
本実施形態では、５群及び６群構成の変倍光学系ＺＬを示したが、以上の構成条件等は、７群等の他の群構成にも適用可能である。また、最も物体側にレンズまたはレンズ群を追加した構成や、最も像側にレンズまたはレンズ群を追加した構成でも構わない。また、レンズ群とは、変倍時に変化する空気間隔で分離された、少なくとも１枚のレンズを有する部分を示す。
【００３７】
また、単独または複数のレンズ群、または部分レンズ群を光軸方向に移動させて、無限遠物体から近距離物体への合焦を行う合焦レンズ群としても良い。この場合、合焦レンズ群はオートフォーカスにも適用でき、オートフォーカス用の（超音波モーター等の）モーター駆動にも適している。特に、前述のように第３レンズ群Ｇ３の少なくとも一部を合焦レンズ群とするのが好ましい。
【００３８】
また、レンズ群または部分レンズ群を光軸に垂直な方向の成分を持つように移動させ、または、光軸を含む面内方向に回転移動（揺動）させて、手ぶれによって生じる像ぶれを補正する防振レンズ群としてもよい。特に、前述のように、第２レンズ群Ｇ２の少なくとも一部を防振レンズ群とするのが好ましい。
【００３９】
また、レンズ面は、球面または平面で形成されても、非球面で形成されても構わない。レンズ面が球面または平面の場合、前述したように、レンズ加工及び組立調整が容易になり、加工及び組立調整の誤差による光学性能の劣化を妨げるので好ましい。また、像面がずれた場合でも描写性能の劣化が少ないので好ましい。レンズ面が非球面の場合、非球面は、研削加工による非球面、ガラスを型で非球面形状に形成したガラスモールド非球面、ガラスの表面に樹脂を非球面形状に形成した複合型非球面のいずれの非球面でも構わない。また、レンズ面は回折面としても良く、レンズを屈折率分布型レンズ（ＧＲＩＮレンズ）或いはプラスチックレンズとしても良い。
【００４０】
開口絞りＳは、前述のように、第３レンズ群Ｇ３と第５レンズ群Ｇ５との間に配置されるのが好ましいが、開口絞りとしての部材を設けずに、レンズの枠でその役割を代用しても良い。
【００４１】
さらに、各レンズ面には、フレアやゴーストを軽減し高コントラストの高い光学性能を達成するために、広い波長域で高い透過率を有する反射防止膜を施しても良い。
【００４２】
また、本実施形態の変倍光学系ＺＬは、変倍比が３．０〜７．０程度である。
【００４３】
以下、本実施形態に係る変倍光学系ＺＬの製造方法の概略を、図１８を参照して説明する。まず、各レンズを配置してレンズ群Ｇ１〜Ｇ５をそれぞれ準備する（ステップＳ１００）。また、変倍に際し、第２レンズ群Ｇ２及び第４レンズ群Ｇ４が像面Ｉに対して固定されるように配置する（ステップＳ２００）。さらにまた、各レンズ群Ｇ１〜Ｇ５が、前述の条件式（１）及び（２）を満足するように配置する(ステップＳ３００)。
【００４４】
具体的には、本実施形態では、例えば図１に示すように、物体側から順に、物体側に凸面を向けた負メニスカスレンズＬ１１と両凸レンズＬ１２とを接合した接合レンズ、及び、物体側に凸面を向けた正メニスカスレンズＬ１３を配置して第１レンズ群Ｇ１とし、両凸レンズＬ２１と両凹レンズＬ２２とを接合した接合レンズ、両凹レンズＬ２３と物体側に凸面を向けた正メニスカスレンズＬ２４とを接合した接合レンズ、及び、両凹レンズＬ２５を配置して第２レンズ群Ｇ２とし、両凸レンズＬ３１、及び、物体側に凸面を向けた負メニスカスレンズＬ３２と両凸レンズＬ３３とを接合した接合レンズを配置して第３レンズ群Ｇ３とし、両凹レンズＬ４１と物体側に凸面を向けた正メニスカスレンズＬ４２とを接合した接合レンズを配置して第４レンズ群Ｇ４とし、両凸レンズＬ５１、物体側に凸面を向けた平凸レンズＬ５２と像側に凹面を向けた平凹レンズＬ５３と物体側に凸面を向けた平凸レンズＬ５４とを接合した接合レンズ、両凸レンズＬ５５と物体側に凹面を向けた平凹レンズＬ５６とを接合した接合レンズ、及び、物体側に凹面を向けた負メニスカスレンズＬ５７を配置して第５レンズ群Ｇ５とする。このように準備した各レンズ群を上述の手順で配置して変倍光学系ＺＬを製造する。
【実施例】
【００４５】
以下、本願の各実施例を、図面に基づいて説明する。なお、図１、図５、図９及び図１３は、各実施例に係る変倍光学系ＺＬ（ＺＬ１〜ＺＬ４）の構成及び屈折力配分を示す断面図である。また、これの変倍光学系ＺＬ１〜ＺＬ４の断面図の下部には、広角端状態（Ｗ）から望遠端状態（Ｔ）に変倍する際の各レンズ群Ｇ１〜Ｇ５又はＧ６の光軸に沿った移動方向が矢印で示されている。いずれの実施例においても、変倍に際し、第２レンズ群Ｇ２及び第４レンズ群Ｇ４が像面Ｉに対して固定されている。
【００４６】
［第１実施例］
図１は、第１実施例に係る変倍光学系ＺＬ１の構成を示す図である。この図１に示す変倍光学系ＺＬ１は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、から構成されている。また、第１レンズ群Ｇ１は、物体側から順に、物体側に凸面を向けた負メニスカスレンズＬ１１と両凸レンズＬ１２とを接合した接合レンズ、及び、物体側に凸面を向けた正メニスカスレンズＬ１３から構成されている。また、第２レンズ群Ｇ２は、物体側から順に、両凸レンズＬ２１と両凹レンズＬ２２とを接合した接合レンズ、両凹レンズＬ２３と物体側に凸面を向けた正メニスカスレンズＬ２４とを接合した接合レンズ、及び、両凹レンズＬ２５から構成されている。また、第３レンズ群Ｇ３は、物体側から順に、両凸レンズＬ３１、及び、物体側に凸面を向けた負メニスカスレンズＬ３２と両凸レンズＬ３３とを接合した接合レンズから構成されている。また、第４レンズ群Ｇ４は、物体側から順に、両凹レンズＬ４１と物体側に凸面を向けた正メニスカスレンズＬ４２とを接合した接合レンズで構成されている。また、第５レンズ群Ｇ５は、物体側から順に、両凸レンズＬ５１、物体側に凸面を向けた平凸レンズＬ５２と像側に凹面を向けた平凹レンズＬ５３と物体側に凸面を向けた平凸レンズＬ５４とを接合した接合レンズ、両凸レンズＬ５５と物体側に凹面を向けた平凹レンズＬ５６とを接合した接合レンズ、及び、物体側に凹面を向けた負メニスカスレンズＬ５７から構成されている。
【００４７】
この第１実施例に係る変倍光学系ＺＬ１は、広角端状態から望遠端状態への変倍に際し、第１レンズ群Ｇ１、第３レンズ群Ｇ３及び第５レンズ群Ｇ５が光軸上を物体方向に移動し、第２レンズ群Ｇ２及び第４レンズ群Ｇ４が像面Ｉに対して光軸方向に固定されている。また、開口絞りＳは第５レンズ群Ｇ５の物体側に配置されており、変倍に際して第５レンズ群Ｇ５とともに移動する。
【００４８】
また、無限遠から近距離物体への合焦は、第３レンズ群Ｇ３を像側に移動させることにより行う。
【００４９】
また、像ぶれ補正（防振）は、第２レンズ群Ｇ２の両凹レンズＬ２３と物体側に凸面を向けた正メニスカスレンズＬ２４とを接合した接合レンズを防振レンズ群とし、この防振レンズ群を光軸と直交する方向の成分を含むように移動させることにより行う。なお、全系の焦点距離がｆで、防振係数（像ぶれ補正での防振レンズ群ＶＬの移動量に対する結像面での像移動量の比）がＫのレンズで角度θの回転ぶれを補正するには、ぶれ補正用の防振レンズ群を（ｆ・ｔａｎθ）／Ｋだけ光軸と直交方向に移動させればよい（以降の実施例においても同様である）。この第１実施例の広角端状態においては、防振係数は−０．７６７であり、焦点距離は８１．６（ｍｍ）であるので、０．２°の回転ぶれを補正するための防振レンズ群の移動量は−０．３７１（ｍｍ）である。また、この第１実施例の中間焦点距離状態においては、防振係数は−１．３４８であり、焦点距離は２００．０（ｍｍ）であるので、０．２°の回転ぶれを補正するための防振レンズ群の移動量は−０．５１８（ｍｍ）である。また、この第１実施例の望遠端状態においては、防振係数は−２．１０３であり、焦点距離は３９２．０（ｍｍ）であるので、０．２°の回転ぶれを補正するための防振レンズ群の移動量は−０．６５１（ｍｍ）である。
【００５０】
以下の表１に、第１実施例の諸元の値を掲げる。この表１において、全体諸元におけるβは変倍比、ｆは全系の焦点距離、ＦＮＯはＦナンバー、２ωは画角、Ｙは像高、及び、ＴＬは全長をそれぞれ表している。ここで、全長ＴＬは、無限遠合焦時のレンズ面の第１面から像面Ｉまでの光軸上の距離を表している。また、レンズデータにおける第１欄ｍは、光線の進行する方向に沿った物体側からのレンズ面の順序（面番号）を、第２欄ｒは、各レンズ面の曲率半径を、第３欄ｄは、各光学面から次の光学面までの光軸上の距離（面間隔）を、第４欄νｄ及び第５欄ｎｄは、ｄ線（λ＝５８７．６ｎｍ）に対するアッベ数及び屈折率を示している。また、曲率半径0.000は平面を示し、空気の屈折率1.00000は省略してある。なお、表１に示す面番号１〜３３は、図１に示す番号１〜３３に対応している。また、レンズ群焦点距離は第１〜第５レンズ群Ｇ１〜Ｇ５の各々の始面と焦点距離を示している。ここで、以下の全ての諸元値において掲載されている焦点距離ｆ、曲率半径ｒ、面間隔ｄ、その他長さの単位は一般に「ｍｍ」が使われるが、光学系は、比例拡大または比例縮小しても同等の光学性能が得られるので、これに限られるものではない。また、これらの符号の説明及び諸元表の説明は以降の実施例においても同様である。
【００５１】
（表１）
［全体諸元］
β＝4.8
広角端状態  中間焦点距離状態  望遠端状態
ｆ    ＝  81.6    〜   200.0    〜    392.0
ＦＮＯ＝   4.56   〜     5.38   〜      5.85
２ω  ＝  29.6    〜    12.1    〜      6.2
Ｙ    ＝  21.6    〜    21.6    〜     21.6
ＴＬ  ＝ 246.4    〜   283.4    〜    302.5
［レンズデータ］
ｍ      ｒ         ｄ       νｄ    ｎｄ
1     182.816    2.500    35.7    1.90265
2      92.566   10.000    82.6    1.49782
3    -707.416    0.100
4      83.365    9.200    95.0    1.43700
5    1420.361     D1
6     117.082    6.400    34.9    1.80100
7    -117.044    2.200    82.6    1.49782
8      61.183    5.810
9    -265.081    2.000    46.6    1.81600
10      30.785    4.600    25.5    1.80518
11      92.264    6.200
12     -56.342    2.000    42.7    1.83481
13     158.965     D2
14     112.252    4.600    67.9    1.59319
15     -78.685    0.100
16      67.612    1.800    31.3    1.90366
17      35.499    6.400    67.9    1.59319
18    -238.177     D3
19     -58.467    1.600    54.6    1.72916
20      38.999    3.600    35.7    1.90265
21     146.900     D4
22       0.000    2.000                      開口絞りＳ
23     124.142    3.400    44.8    1.74400
24    -124.142    0.100
25      26.615    6.800    70.3    1.48749
26       0.000    2.000    29.4    1.95000
27      26.437    4.800    52.2    1.51742
28       0.000   17.600
29     176.178    6.000    33.7    1.64769
30     -19.703    1.600    65.4    1.60300
31       0.000   11.270
32     -22.131    1.600    42.7    1.83481
33     -33.748     BF
［レンズ群焦点距離］
レンズ群    始面    焦点距離
第１レンズ群    1      161.714
第２レンズ群    6      -32.531
第３レンズ群   14       50.816
第４レンズ群   19      -70.030
第５レンズ群   23       59.673
【００５２】
この第１実施例において、第１レンズ群Ｇ１と第２レンズ群Ｇ２との軸上空気間隔Ｄ１、第２レンズ群Ｇ２と第３レンズ群Ｇ３との軸上空気間隔Ｄ２、第３レンズ群Ｇ３と第４レンズ群Ｇ４との軸上空気間隔Ｄ３、第４レンズ群Ｇ４と第５レンズ群Ｇ５とともに移動する開口絞りＳとの軸上空気間隔Ｄ４、及び、バックフォーカスＢＦは、変倍に際して変化する。次の表２に、無限遠合焦時の広角端状態、中間焦点距離状態、及び、望遠端状態の各焦点距離における可変間隔Ｄ１〜Ｄ４及びバックフォーカスＢＦの値を示す。なお、バックフォーカスＢＦは、最も像側のレンズ面（図１における第３３面）から像面Ｉまでの光軸上の距離を表している。この説明は以降の実施例においても同様である。
【００５３】
（表２）
［可変間隔データ］
広角端状態  中間焦点距離状態  望遠端状態
ｆ        81.6    〜   200.0    〜    392.0
D1         8.225  〜    45.191  〜     64.292
D2        27.059  〜    15.341  〜      3.056
D3         5.388  〜    17.106  〜     29.391
D4        26.684  〜    11.153  〜      2.382
BF        52.8    〜    68.3    〜     77.1
【００５４】
次の表３に、この第１実施例における各条件式対応値を示す。なおこの表３において、ｆ１は第１レンズ群Ｇ１の焦点距離を、ｆ２は第２レンズ群Ｇ２の焦点距離を、ｆ４は第４レンズ群Ｇ４の焦点距離を、ｆ５は第５レンズ群Ｇ５の焦点距離を、それぞれ表している。以上の符号の説明は以降の実施例においても同様である。
【００５５】
（表３）
（１）ｆ１／（−ｆ２）＝4.97
（２）（−ｆ４）／ｆ５＝1.17
（３）ｆ１／（−ｆ４）＝2.31
【００５６】
このように、この第１実施例に係る変倍光学系ＺＬ１は、上記条件式（１）〜（３）を全て満足している。
【００５７】
この第１実施例の広角端状態での無限遠合焦状態の収差図を図２（ａ）に示し、中間焦点距離状態での無限遠合焦状態の収差図を図３（ａ）に示し、望遠端状態での無限遠合焦状態の収差図を図４（ａ）に示す。また、第１実施例の広角端状態での無限遠合焦状態において像ぶれ補正（防振レンズ群のシフト量＝−０．３７１）を行ったときのコマ収差図を図２（ｂ）に示し、中間焦点距離状態での無限遠合焦状態において像ぶれ補正（防振レンズ群のシフト量＝−０．５１８）を行ったときのコマ収差図を図３（ｂ）に示し、望遠端状態での無限遠合焦状態において像ぶれ補正（防振レンズ群のシフト量＝−０．６５１）を行った時のコマ収差図を図４（ｂ）に示す。各収差図において、ＦＮＯはＦナンバーを、Ａは半画角を、ｄはｄ線（λ＝５８７．６ｎｍ）を、ｇはｇ線（λ＝４３５．６ｎｍ）を、それぞれ示している。また、非点収差を示す収差図において実線はサジタル像面を示し、破線はメリディオナル像面を示している。この収差図の説明は以降の実施例においても同様である。各収差図から明らかなように、第１実施例では、広角端状態から望遠端状態までの各焦点距離状態において諸収差が良好に補正されており、優れた結像性能を有することがわかる。
【００５８】
［第２実施例］
図５は、第２実施例に係る変倍光学系ＺＬ２の構成を示す図である。この図５に示す変倍光学系ＺＬ２は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、負の屈折力を有する第６レンズ群Ｇ６と、から構成されている。また、第１レンズ群Ｇ１は、物体側から順に、物体側に凸面を向けた負メニスカスレンズＬ１１と両凸レンズＬ１２とを接合した接合レンズ、及び、両凸レンズＬ１３から構成されている。また、第２レンズ群Ｇ２は、物体側から順に、物体側に凹面を向けた正メニスカスレンズＬ２１と両凹レンズＬ２２とを接合した接合レンズ、両凹レンズＬ２３と物体側に凸面を向けた正メニスカスレンズＬ２４とを接合した接合レンズ、及び、両凹レンズＬ２５から構成されている。また、第３レンズ群Ｇ３は、物体側から順に、両凸レンズＬ３１、及び、両凸レンズＬ３２と物体側に凹面を向けた負メニスカスレンズＬ３３とを接合した接合レンズから構成されている。また、第４レンズ群Ｇ４は、物体側から順に、両凹レンズＬ４１と両凸レンズＬ４２とを接合した接合レンズで構成されている。また、第５レンズ群Ｇ５は、物体側から順に、両凸レンズＬ５１、及び、両凸レンズＬ５２と物体側に凹面を向けた負メニスカスレンズＬ５３とを接合した接合レンズで構成されている。また、第６レンズ群Ｇ６は、物体側から順に、両凸レンズＬ６１と両凹レンズＬ６２とを接合した接合レンズで構成されている。
【００５９】
この第２実施例に係る変倍光学系ＺＬ２は、広角端状態から望遠端状態への変倍に際し、第１レンズ群Ｇ１、第３レンズ群Ｇ３、第５レンズ群Ｇ５及び第６レンズ群Ｇ６が光軸上を物体方向に移動し、第２レンズ群Ｇ２及び第４レンズ群Ｇ４が像面Ｉに対して光軸方向に固定されている。また、開口絞りＳは第５レンズ群Ｇ５の物体側に配置されており、変倍に際して第５レンズ群Ｇ５とともに移動する。
【００６０】
また、無限遠から近距離物体への合焦は、第３レンズ群Ｇ３を像側に移動させることにより行う。
【００６１】
また、像ぶれ補正（防振）は、第２レンズ群Ｇ２の両凹レンズＬ２３と物体側に凸面を向けた正メニスカスレンズＬ２４とを接合した接合レンズを防振レンズ群とし、この防振レンズ群を光軸と直交する方向の成分を含むように移動させることにより行う。この第２実施例の広角端状態においては、防振係数は−０．６３７であり、焦点距離は７２．０（ｍｍ）であるので、０．２°の回転ぶれを補正するための防振レンズ群の移動量は−０．３９５（ｍｍ）である。また、この第２実施例の中間焦点距離状態においては、防振係数は−１．１５８であり、焦点距離は２００．０（ｍｍ）であるので、０．２°の回転ぶれを補正するための防振レンズ群の移動量は−０．６０３（ｍｍ）である。また、この第２実施例の望遠端状態においては、防振係数は−１．７６３であり、焦点距離は３９０．０（ｍｍ）であるので、０．２°の回転ぶれを補正するための防振レンズ群の移動量は−０．７７２（ｍｍ）である。
【００６２】
以下の表４に、第２実施例の諸元の値を掲げる。なお、表４に示す面番号１〜３０は、図５に示す番号１〜３０に対応している。また、レンズ群焦点距離は第１〜第６レンズ群Ｇ１〜Ｇ６の各々の始面と焦点距離を示している。
【００６３】
（表４）
［全体諸元］
β＝5.4
広角端状態  中間焦点距離状態  望遠端状態
ｆ    ＝  72.0    〜   200.0    〜    390.0
ＦＮＯ＝   4.54   〜     5.44   〜      5.88
２ω  ＝  33.7    〜    12.0    〜      6.2
Ｙ    ＝  21.6    〜    21.6    〜     21.6
ＴＬ  ＝ 244.3    〜   290.3    〜    309.3
［レンズデータ］
ｍ      ｒ         ｄ       νｄ    ｎｄ
1     218.093    1.800    40.7    1.88300
2      94.341   10.098    82.6    1.49782
3    -579.376    0.100
4      90.320    9.392    82.6    1.49782
5   -1839.350     D1
6   -1407.394    4.344    25.5    1.80518
7     -80.390    2.000    67.9    1.59319
8     128.565    4.528
9    -287.557    1.900    42.7    1.83481
10      40.640    3.951    23.8    1.84666
11     116.253    5.759
12     -69.042    1.800    42.7    1.83481
13     177.936     D2
14     102.836    4.827    60.2    1.64000
15     -70.986    0.100
16      85.954    5.583    61.2    1.58913
17     -58.889    2.000    23.8    1.84666
18    -910.681     D3
19     -57.570    1.800    47.4    1.78800
20      50.018    3.583    23.8    1.84666
21   -2308.874     D4
22       0.000    2.000                      開口絞りＳ
23    1105.472    3.337    50.3    1.71999
24     -60.251    0.100
25      53.693    5.265    70.3    1.48749
26     -61.018    2.000    23.8    1.84666
27    -839.528     D5
28      43.363    5.139    28.4    1.72825
29    -106.243    1.500    40.7    1.88300
30      33.800     BF
［レンズ群焦点距離］
レンズ群    始面    焦点距離
第１レンズ群    1      151.809
第２レンズ群    6      -32.015
第３レンズ群   14       53.583
第４レンズ群   19      -82.521
第５レンズ群   23       58.368
第６レンズ群   28     -110.027
【００６４】
この第２実施例において、第１レンズ群Ｇ１と第２レンズ群Ｇ２との軸上空気間隔Ｄ１、第２レンズ群Ｇ２と第３レンズ群Ｇ３との軸上空気間隔Ｄ２、第３レンズ群Ｇ３と第４レンズ群Ｇ４との軸上空気間隔Ｄ３、第４レンズ群Ｇ４と第５レンズ群Ｇ５とともに移動する開口絞りＳとの軸上空気間隔Ｄ４、第５レンズ群Ｇ５と第６レンズ群Ｇ６との軸上空気間隔Ｄ５、及び、バックフォーカスＢＦは、変倍に際して変化する。次の表５に、無限遠合焦時の広角端状態、中間焦点距離状態、及び、望遠端状態の各焦点距離における可変間隔Ｄ１〜Ｄ５及びバックフォーカスＢＦの値を示す。
【００６５】
（表５）
［可変間隔データ］
広角端状態  中間焦点距離状態  望遠端状態
ｆ        72.0    〜   200.0    〜    390.0
D1         2.000  〜    47.946  〜     67.000
D2        28.700  〜    17.520  〜      3.000
D3        15.940  〜    29.759  〜     42.880
D4        29.040  〜     8.875  〜      2.000
D5        30.005  〜    22.265  〜     23.642
BF        55.7    〜    81.0    〜     87.9
【００６６】
次の表６に、この第２実施例における各条件式対応値を示す。
【００６７】
（表６）
（１）ｆ１／（−ｆ２）＝4.74
（２）（−ｆ４）／ｆ５＝1.41
（３）ｆ１／（−ｆ４）＝1.84
【００６８】
このように、この第２実施例に係る変倍光学系ＺＬ２は、上記条件式（１）〜（３）を全て満足している。
【００６９】
この第２実施例の広角端状態での無限遠合焦状態の収差図を図６（ａ）に示し、中間焦点距離状態での無限遠合焦状態の収差図を図７（ａ）に示し、望遠端状態での無限遠合焦状態の収差図を図８（ａ）に示す。また、第２実施例の広角端状態での無限遠合焦状態において像ぶれ補正（防振レンズ群のシフト量＝−０．３９５）を行ったときのコマ収差図を図６（ｂ）に示し、中間焦点距離状態での無限遠合焦状態において像ぶれ補正（防振レンズ群のシフト量＝−０．６０３）を行ったときのコマ収差図を図７（ｂ）に示し、望遠端状態での無限遠合焦状態において像ぶれ補正（防振レンズ群のシフト量＝−０．７７２）を行った時のコマ収差図を図８（ｂ）に示す。各収差図から明らかなように、第２実施例では、広角端状態から望遠端状態までの各焦点距離状態において諸収差が良好に補正されており、優れた結像性能を有することがわかる。
【００７０】
［第３実施例］
図９は、第３実施例に係る変倍光学系ＺＬ３の構成を示す図である。この図９に示す変倍光学系ＺＬ３は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、負の屈折力を有する第６レンズ群Ｇ６と、から構成されている。また、第１レンズ群Ｇ１は、物体側から順に、物体側に凸面を向けた負メニスカスレンズＬ１１と両凸レンズＬ１２とを接合した接合レンズ、及び、両凸レンズＬ１３から構成されている。また、第２レンズ群Ｇ２は、物体側から順に、両凸レンズＬ２１と両凹レンズＬ２２とを接合した接合レンズ、物体側に凹面を向けた正メニスカスレンズＬ２３と両凹レンズＬ２４とを接合した接合レンズ、及び、両凹レンズＬ２５から構成されている。また、第３レンズ群Ｇ３は、物体側から順に、両凸レンズＬ３１、及び、両凸レンズＬ３２と両凹レンズＬ３３とを接合した接合レンズから構成されている。また、第４レンズ群Ｇ４は、物体側から順に、両凹レンズＬ４１と物体側に凸面を向けた正メニスカスレンズＬ４２とを接合した接合レンズで構成されている。また、第５レンズ群Ｇ５は、物体側から順に、物体側に凸面を向けた負メニスカスレンズＬ５１と両凸レンズＬ５２とを接合した接合レンズ、及び、両凸レンズＬ５３と物体側に凹面を向けた負メニスカスレンズＬ５４とを接合した接合レンズで構成されている。また、第６レンズ群Ｇ６は、物体側から順に、両凸レンズＬ６１と両凹レンズＬ６２とを接合した接合レンズで構成されている。
【００７１】
この第３実施例に係る変倍光学系ＺＬ３は、広角端状態から望遠端状態への変倍に際し、第１レンズ群Ｇ１、第３レンズ群Ｇ３、第５レンズ群Ｇ５及び第６レンズ群Ｇ６が光軸上を物体方向に移動し、第２レンズ群Ｇ２及び第４レンズ群Ｇ４が像面Ｉに対して光軸方向に固定されている。また、開口絞りＳは第５レンズ群Ｇ５の物体側に配置されており、変倍に際して第５レンズ群Ｇ５とともに移動する。
【００７２】
また、無限遠から近距離物体への合焦は、第３レンズ群Ｇ３を像側に移動させることにより行う。
【００７３】
また、像ぶれ補正（防振）は、第２レンズ群Ｇ２全体を防振レンズ群とし、この防振レンズ群を光軸と直交する方向の成分を含むように移動させることにより行う。この第３実施例の広角端状態においては、防振係数は−１．９７２であり、焦点距離は７２．０（ｍｍ）であるので、０．２°の回転ぶれを補正するための防振レンズ群の移動量は−０．１２７（ｍｍ）である。また、この第３実施例の中間焦点距離状態においては、防振係数は−３．５３４であり、焦点距離は２００．０（ｍｍ）であるので、０．２°の回転ぶれを補正するための防振レンズ群の移動量は−０．１９８（ｍｍ）である。また、この第３実施例の望遠端状態においては、防振係数は−５．３７９であり、焦点距離は３９０．０（ｍｍ）であるので、０．２°の回転ぶれを補正するための防振レンズ群の移動量は−０．２５３（ｍｍ）である。
【００７４】
以下の表７に、第３実施例の諸元の値を掲げる。なお、表７に示す面番号１〜３１は、図９に示す番号１〜３１に対応している。また、レンズ群焦点距離は第１〜第６レンズ群Ｇ１〜Ｇ６の各々の始面と焦点距離を示している。
【００７５】
（表７）
［全体諸元］
β＝5.4
広角端状態  中間焦点距離状態  望遠端状態
ｆ    ＝  72.0    〜   200.0    〜    390.0
ＦＮＯ＝   4.52   〜     5.34   〜      5.78
２ω  ＝  34.0    〜    12.1    〜      6.2
Ｙ    ＝  21.6    〜    21.6    〜     21.6
ＴＬ  ＝ 239.3    〜   285.8    〜    304.3
［レンズデータ］
ｍ      ｒ         ｄ       νｄ    ｎｄ
1     235.129    2.000    40.7    1.88300
2      85.937   10.435    82.6    1.49782
3    -492.987    0.100
4      81.734    9.789    82.6    1.49782
5   -2477.191     D1
6      94.480    3.279    28.7    1.79504
7   -1045.056    2.000    67.9    1.59319
8      57.468    3.373
9    -137.861    3.251    28.7    1.79504
10     -48.070    2.000    67.9    1.59319
11      69.776    3.889
12     -56.313    1.800    49.6    1.77250
13     135.256     D2
14     220.803    5.100    67.9    1.59319
15     -51.295    0.100
16      48.045    5.380    67.9    1.59319
17    -156.768    2.000    31.3    1.90366
18     209.257     D3
19     -51.770    1.500    54.6    1.72916
20      41.489    3.613    34.9    1.80100
21     331.492     D4
22       0.000    2.000                      開口絞りＳ
23      86.564    2.000    40.7    1.88300
24      47.702    5.771    52.2    1.51742
25     -52.610    0.100
26      60.874    4.753    82.6    1.49782
27     -65.980    2.000    23.8    1.84666
28    -423.943     D5
29      43.795    3.743    27.6    1.75520
30     -80.630    1.500    40.7    1.88300
31      36.787     BF
［レンズ群焦点距離］
レンズ群    始面    焦点距離
第１レンズ群    1      151.723
第２レンズ群    6      -31.512
第３レンズ群   14       48.052
第４レンズ群   19      -67.397
第５レンズ群   23       58.111
第６レンズ群   29     -140.788
【００７６】
この第３実施例において、第１レンズ群Ｇ１と第２レンズ群Ｇ２との軸上空気間隔Ｄ１、第２レンズ群Ｇ２と第３レンズ群Ｇ３との軸上空気間隔Ｄ２、第３レンズ群Ｇ３と第４レンズ群Ｇ４との軸上空気間隔Ｄ３、第４レンズ群Ｇ４と第５レンズ群Ｇ５とともに移動する開口絞りＳとの軸上空気間隔Ｄ４、第５レンズ群Ｇ５と第６レンズ群Ｇ６との軸上空気間隔Ｄ５、及び、バックフォーカスＢＦは、変倍に際して変化する。次の表８に、無限遠合焦時の広角端状態、中間焦点距離状態、及び、望遠端状態の各焦点距離における可変間隔Ｄ１〜Ｄ５及びバックフォーカスＢＦの値を示す。
【００７７】
（表８）
［可変間隔データ］
広角端状態  中間焦点距離状態  望遠端状態
ｆ        72.0    〜   200.0    〜    390.0
D1         2.000  〜    48.459  〜     67.000
D2        25.107  〜    13.069  〜      2.000
D3         6.466  〜    18.504  〜     29.573
D4        29.312  〜    12.120  〜      2.428
D5        32.947  〜    32.202  〜     30.353
BF        55.1    〜    73.0    〜     84.5
【００７８】
次の表９に、この第３実施例における各条件式対応値を示す。
【００７９】
（表９）
（１）ｆ１／（−ｆ２）＝4.81
（２）（−ｆ４）／ｆ５＝1.16
（３）ｆ１／（−ｆ４）＝2.25
【００８０】
このように、この第３実施例に係る変倍光学系ＺＬ３は、上記条件式（１）〜（３）を全て満足している。
【００８１】
この第３実施例の広角端状態での無限遠合焦状態の収差図を図１０（ａ）に示し、中間焦点距離状態での無限遠合焦状態の収差図を図１１（ａ）に示し、望遠端状態での無限遠合焦状態の収差図を図１２（ａ）に示す。また、第３実施例の広角端状態での無限遠合焦状態において像ぶれ補正（防振レンズ群のシフト量＝−０．１２７）を行ったときのコマ収差図を図１０（ｂ）に示し、中間焦点距離状態での無限遠合焦状態において像ぶれ補正（防振レンズ群のシフト量＝−０．１９８）を行ったときのコマ収差図を図１１（ｂ）に示し、望遠端状態での無限遠合焦状態において像ぶれ補正（防振レンズ群のシフト量＝−０．２５３）を行った時のコマ収差図を図１２（ｂ）に示す。各収差図から明らかなように、第３実施例では、広角端状態から望遠端状態までの各焦点距離状態において諸収差が良好に補正されており、優れた結像性能を有することがわかる。
【００８２】
［第４実施例］
図１３は、第４実施例に係る変倍光学系ＺＬ４の構成を示す図である。この図１３に示す変倍光学系ＺＬ４は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、負の屈折力を有する第６レンズ群Ｇ６と、から構成されている。また、第１レンズ群Ｇ１は、物体側から順に、物体側に凸面を向けた負メニスカスレンズＬ１１と両凸レンズＬ１２とを接合した接合レンズ、及び、両凸レンズＬ１３から構成されている。また、第２レンズ群Ｇ２は、物体側から順に、両凸レンズＬ２１と両凹レンズＬ２２とを接合した接合レンズ、両凹レンズＬ２３と物体側に凸面を向けた正メニスカスレンズＬ２４とを接合した接合レンズ、及び、両凹レンズＬ２５から構成されている。また、第３レンズ群Ｇ３は、物体側から順に、両凸レンズＬ３１、及び、物体側に凸面を向けた負メニスカスレンズＬ３２と両凸レンズＬ３３とを接合した接合レンズから構成されている。また、第４レンズ群Ｇ４は、物体側から順に、両凹レンズＬ４１と物体側に凸面を向けた正メニスカスレンズＬ４２とを接合した接合レンズで構成されている。また、第５レンズ群Ｇ５は、物体側から順に、物体側に凸面を向けた負メニスカスレンズＬ５１と両凸レンズＬ５２とを接合した接合レンズ、及び、両凸レンズＬ５３と物体側に凹面を向けた負メニスカスレンズＬ５４とを接合した接合レンズで構成されている。また、第６レンズ群Ｇ６は、物体側から順に、両凸レンズＬ６１と両凹レンズＬ６２とを接合した接合レンズで構成されている。
【００８３】
この第４実施例に係る変倍光学系ＺＬ４は、広角端状態から望遠端状態への変倍に際し、第１レンズ群Ｇ１、第３レンズ群Ｇ３、第５レンズ群Ｇ５及び第６レンズ群Ｇ６が光軸上を物体方向に移動し、第２レンズ群Ｇ２及び第４レンズ群Ｇ４が像面Ｉに対して光軸方向に固定されている。また、開口絞りＳは第５レンズ群Ｇ５の物体側に配置されており、変倍に際して第５レンズ群Ｇ５とともに移動する。
【００８４】
また、無限遠から近距離物体への合焦は、第３レンズ群Ｇ３を像側に移動させることにより行う。
【００８５】
また、像ぶれ補正（防振）は、第２レンズ群Ｇ２の両凹レンズＬ２３と物体側に凸面を向けた正メニスカスレンズＬ２４とを接合した接合レンズを防振レンズ群とし、この防振レンズ群を光軸と直交する方向の成分を含むように移動させることにより行う。この第４実施例の広角端状態においては、防振係数は−０．８８８であり、焦点距離は８２．０（ｍｍ）であるので、０．２°の回転ぶれを補正するための防振レンズ群の移動量は−０．３２２（ｍｍ）である。また、この第４実施例の中間焦点距離状態においては、防振係数は−１．４５４であり、焦点距離は２００．０（ｍｍ）であるので、０．２°の回転ぶれを補正するための防振レンズ群の移動量は−０．４８０（ｍｍ）である。また、この第４実施例の望遠端状態においては、防振係数は−２．１７６であり、焦点距離は３９０．０（ｍｍ）であるので、０．２°の回転ぶれを補正するための防振レンズ群の移動量は−０．６２６（ｍｍ）である。
【００８６】
以下の表１０に、第４実施例の諸元の値を掲げる。なお、表１０に示す面番号１〜３１は、図１３に示す番号１〜３１に対応している。また、レンズ群焦点距離は第１〜第６レンズ群Ｇ１〜Ｇ６の各々の始面と焦点距離を示している。
【００８７】
（表１０）
［全体諸元］
β＝4.8
広角端状態  中間焦点距離状態  望遠端状態
ｆ    ＝  82.0    〜   200.0    〜    390.0
ＦＮＯ＝   5.05   〜     5.61   〜      5.82
２ω  ＝  29.7    〜    12.0    〜      6.2
Ｙ    ＝  21.6    〜    21.6    〜     21.6
ＴＬ  ＝ 241.3    〜   283.3    〜    303.3
［レンズデータ］
ｍ      ｒ         ｄ       νｄ    ｎｄ
1     227.795    2.000    40.7    1.88300
2      84.747   10.413    82.6    1.49782
3    -538.594    0.100
4      82.998    9.958    82.6    1.49782
5   -1048.042     D1
6     170.969    6.158    34.9    1.80100
7     -66.891    2.000    65.4    1.60300
8      82.527    5.163
9    -168.234    2.000    47.4    1.78800
10      41.763    3.001    23.8    1.84666
11      88.369    6.493
12     -43.051    1.800    46.6    1.81600
13     411.913     D2
14     137.043    4.617    63.3    1.61800
15     -72.111    0.100
16      62.009    2.000    31.3    1.90366
17      34.150    6.473    63.3    1.61800
18    -167.969     D3
19     -50.276    1.500    50.3    1.71999
20      34.293    4.000    28.7    1.79504
21     221.433     D4
22       0.000    2.000                      開口絞りＳ
23     178.755    2.000    23.8    1.84666
24      75.314    5.063    63.9    1.51680
25     -50.146    0.107
26      72.928    4.620    58.8    1.51823
27     -62.568    2.000    23.8    1.84666
28    -197.918     D5
29      42.990    4.937    29.6    1.71736
30     -55.338    1.500    42.7    1.83481
31      37.334     BF
［レンズ群焦点距離］
レンズ群    始面    焦点距離
第１レンズ群    1      148.584
第２レンズ群    6      -29.113
第３レンズ群   14       44.313
第４レンズ群   19      -63.143
第５レンズ群   23       59.877
第６レンズ群   29     -157.384
【００８８】
この第４実施例において、第１レンズ群Ｇ１と第２レンズ群Ｇ２との軸上空気間隔Ｄ１、第２レンズ群Ｇ２と第３レンズ群Ｇ３との軸上空気間隔Ｄ２、第３レンズ群Ｇ３と第４レンズ群Ｇ４との軸上空気間隔Ｄ３、第４レンズ群Ｇ４と第５レンズ群Ｇ５とともに移動する開口絞りＳとの軸上空気間隔Ｄ４、第５レンズ群Ｇ５と第６レンズ群Ｇ６との軸上空気間隔Ｄ５、及び、バックフォーカスＢＦは、変倍に際して変化する。次の表１１に、無限遠合焦時の広角端状態、中間焦点距離状態、及び、望遠端状態の各焦点距離における可変間隔Ｄ１〜Ｄ５及びバックフォーカスＢＦの値を示す。
【００８９】
（表１１）
［可変間隔データ］
広角端状態  中間焦点距離状態  望遠端状態
ｆ        82.0    〜   200.0    〜    390.0
D1         2.299  〜    44.305  〜     64.299
D2        24.152  〜    13.739  〜      2.000
D3         7.126  〜    17.538  〜     29.278
D4        17.672  〜     6.713  〜      2.399
D5        32.546  〜    31.055  〜     23.798
BF        58.1    〜    70.5    〜     82.1
【００９０】
次の表１２に、この第４実施例における各条件式対応値を示す。
【００９１】
（表１２）
（１）ｆ１／（−ｆ２）＝5.10
（２）（−ｆ４）／ｆ５＝1.05
（３）ｆ１／（−ｆ４）＝2.35
【００９２】
このように、この第４実施例に係る変倍光学系ＺＬ４は、上記条件式（１）〜（３）を全て満足している。
【００９３】
この第４実施例の広角端状態での無限遠合焦状態の収差図を図１４（ａ）に示し、中間焦点距離状態での無限遠合焦状態の収差図を図１５（ａ）に示し、望遠端状態での無限遠合焦状態の収差図を図１６（ａ）に示す。また、第３実施例の広角端状態での無限遠合焦状態において像ぶれ補正（防振レンズ群のシフト量＝−０．３２２）を行ったときのコマ収差図を図１４（ｂ）に示し、中間焦点距離状態での無限遠合焦状態において像ぶれ補正（防振レンズ群のシフト量＝−０．４８０）を行ったときのコマ収差図を図１５（ｂ）に示し、望遠端状態での無限遠合焦状態において像ぶれ補正（防振レンズ群のシフト量＝−０．６２６）を行った時のコマ収差図を図１６（ｂ）に示す。各収差図から明らかなように、第４実施例では、広角端状態から望遠端状態までの各焦点距離状態において諸収差が良好に補正されており、優れた結像性能を有することがわかる。
【符号の説明】
【００９４】
ＺＬ（ＺＬ１〜ＺＬ４）  変倍光学系
Ｇ１  第１レンズ群    Ｇ２  第２レンズ群    Ｇ３  第３レンズ群
Ｇ４  第４レンズ群    Ｇ５  第５レンズ群    Ｓ  開口絞り
１  カメラ（光学装置）
【図１】
2014145805.tif 000003
【図２】
2014145805.tif 000004
【図３】
2014145805.tif 000005
【図４】
2014145805.tif 000006
【図５】
2014145805.tif 000007
【図６】
2014145805.tif 000008
【図７】
2014145805.tif 000009
【図８】
2014145805.tif 000010
【図９】
2014145805.tif 000011
【図１０】
2014145805.tif 000012
【図１１】
2014145805.tif 000013
【図１２】
2014145805.tif 000014
【図１３】
2014145805.tif 000015
【図１４】
2014145805.tif 000016
【図１５】
2014145805.tif 000017
【図１６】
2014145805.tif 000018
【図１７】
2014145805.tif 000019
【図１８】
2014145805.tif 000020